(57)【要約】【課題】交通機関の営業所員でも容易に広告印刷物を作成することができ、また広告印刷物を作成する際に、交通機関独自のイメージカラーや該交通機関の路線独自のイメージカラーなどを使用し得る印刷システムを提供することを目的とする。【解決手段】交通機関の営業所に配置されたクライアントにおいて、該交通機関の拠点に配置されたサーバから広告印刷物作成用テンプレートを取得し、また営業所周辺から広告用画像を取得することにより、広告印刷物作成用テンプレートと広告用画像を利用して広告印刷物レイアウトデータを作成することができる。作成された広告印刷物レイアウトデータは、交通機関の拠点に配置されたサーバにおいて印刷処理が行なわれ、該サーバに接続されたデジタル印刷機により広告印刷物の印刷が行なわれる。【選択図】    図1
2005216041.tif 000002
【特許請求の範囲】
【請求項１】
交通機関の営業所に配置されたクライアントと、前記交通機関の営業拠点に配置され前記クライアントとネットワークで接続されたサーバと、前記サーバに接続されたデジタル印刷機と、からなる印刷システムにおいて、
前記クライアントが、
前記サーバから送信された広告印刷物作成用テンプレートを受信するテンプレート受信手段と、
前記交通機関の営業所周辺の広告用画像を取得する広告用画像取得手段と、
前記広告用画像および広告印刷物作成用テンプレートを利用して広告印刷物レイアウトデータの作成を行うレイアウト手段と、
前記レイアウト手段で作成された広告印刷物レイアウトデータを前記サーバへ送信するレイアウトデータ送信手段と、
を有し、
前記サーバが、
前記クライアントに広告印刷物作成用テンプレートを送信するテンプレート送信手段と、
前記クライアントから送信された広告印刷物レイアウトデータを受信するレイアウトデータ受信手段と、
前記広告印刷物レイアウトデータの印刷処理を行う印刷処理手段と、
前記印刷処理手段によって処理が行なわれた広告印刷物作成データをデジタル印刷機へ出力する作成データ出力手段と、
を有することを特徴とする印刷システム。
【請求項２】
前記サーバは、
さらに、前記クライアントの広告用画像取得手段が取得する広告用画像の取得先に関する情報を蓄積した広告用画像取得先データベースを備えており、
前記クライアントの広告用画像取得手段が、前記サーバの広告用画像取得先データベースに蓄積された情報を参照して広告用画像を取得すること、を特徴とする請求項１に記載の印刷システム。
【請求項３】
前記サーバのテンプレート送信手段が送信する広告印刷物作成用テンプレートは、前記交通機関のイメージカラーを使用していることを特徴とする、請求項１に記載の印刷システム。
【請求項４】
前記サーバのテンプレート送信手段が送信する広告印刷物作成用テンプレートは、前記交通機関のイメージ地紋を使用していることを特徴とする、請求項１に記載の印刷システム。
【請求項５】
前記サーバのテンプレート送信手段が送信する広告印刷物作成用テンプレートは、前記交通機関の路線におけるイメージカラーを使用していることを特徴とする、請求項１に記載の印刷システム。
【請求項６】
前記サーバのテンプレート送信手段が送信する広告印刷物作成用テンプレートは、前記交通機関の路線におけるイメージ地紋を使用していることを特徴とする、請求項１に記載の印刷システム。
【請求項７】
前記クライアントのレイアウトデータ送信手段が、該クライアントが配置された交通機関の営業所名を前記レイアウトデータに添付して送信し、前記サーバの印刷処理手段が、前記レイアウトデータに添付された交通機関の営業所名を広告印刷物作成データに付加することにより、前記デジタル印刷機において印刷される広告印刷物の欄外に前記交通機関の営業所名が印刷されること、を特徴とする請求項１に記載の印刷システム。
【請求項８】
交通機関の営業所に配置されたクライアントと、前記交通機関の営業拠点に配置され前記クライアントとネットワークで接続されたサーバと、前記サーバに接続されたデジタル印刷機と、からなる印刷システムにおけるクライアントであって、
前記サーバから送信された広告印刷物作成用テンプレートを受信するテンプレート受信手段と、
前記交通機関の営業所周辺の広告用画像を取得する広告用画像取得手段と、
前記広告用画像および広告印刷物作成用テンプレートを利用して広告印刷物レイアウトデータの作成を行うレイアウト手段と、
前記レイアウト手段で作成された広告印刷物レイアウトデータを前記サーバへ送信するレイアウトデータ送信手段と、
を有することを特徴とするクライアント。
【請求項９】
交通機関の営業所に配置されたクライアントと、前記交通機関の営業拠点に配置され前記クライアントとネットワークで接続されたサーバと、前記サーバに接続されたデジタル印刷機と、からなる印刷システムにおけるサーバであって、
前記クライアントに広告印刷物作成用テンプレートを送信するテンプレート送信手段と、
前記クライアントから送信された広告印刷物レイアウトデータを受信するレイアウトデータ受信手段と、
前記広告印刷物レイアウトデータの印刷処理を行う印刷処理手段と、
前記印刷処理手段によって処理が行なわれた広告印刷物作成データをデジタル印刷機へ出力する作成データ出力手段と、
を有することを特徴とするサーバ。
【請求項１０】
請求項８に記載のクライアントをコンピュータで実現するためのプログラム。
【請求項１１】
請求項９に記載のサーバをコンピュータで実現するためのプログラム。
【発明の詳細な説明】
【技術分野】
【０００１】
本発明は、交通機関の営業所に配置されたクライアントと、前記交通機関の営業拠点に配置され前記クライアントとネットワークで接続されたサーバと、前記サーバに接続されたデジタル印刷機と、からなる印刷システムに関する。
【背景技術】
【０００２】
鉄道などの交通機関において、駅などの営業所にポスターなどの広告印刷物が掲示されている。このような広告印刷物は、大別すると２種類に分けられる。一つは、一般的な商品、サービスの宣伝に関する広告印刷物であり、もう一つはその営業所周辺の商品、サービスの宣伝に関する広告印刷物である。
前者は広く頒布されるものであるため、印刷所において印刷が行なわれた高品質の印刷物である。それに対して後者はその営業所のみに掲示されることがほとんどであるため、例えばコピーや単色刷りなど品質の高くない印刷物であることがほとんどである。これは、品質のよい印刷物の作成を印刷所に依頼すると、ある程度の部数を注文しなければ、コストパフォーマンスが悪くなるためである。
【０００３】
しかし、最近ではデジタルカメラによって撮影した電子データを取り込むことにより、パソコンでポスターなどの印刷用データを作成し、高画質のプリンタを使うことにより、カラー印刷による広告印刷物の作成が容易になりつつある。また、少部数の印刷を行うことについては、例えば下記のような発明が開示されている。
【特許文献１】特許公開平１１−８６０１８号公報
【発明の開示】
【発明が解決しようとする課題】
【０００４】
しかし、営業所においてパソコンを利用してデジタルカメラによる電子データを取り込んで印刷物を作成する場合、該営業所で印刷物を作成する人がデザインからレイアウトデータの作成まで行わなければならないため、印刷の品質が向上しても広告印刷物としての品質が必ずしも高くなるわけではない、という問題があった。また、広告印刷物に使う画像の取得について、例えば営業所員がデジタルカメラを使用して電子データを取得しなければならず、手間がかかるという問題もあった。
【０００５】
さらに、交通機関は独自のイメージカラーを有している場合が多い。駅などに掲示する広告印刷物を作成するに際しては、該交通機関の利用を促すことを考慮して交通機関のイメージカラーを使用することが多い。このようなイメージカラーは配色が厳密に定められているので、営業所において広告印刷物を作成する場合、イメージカラーを電子的に調合して得なければならず、広告印刷物を作成する営業所員にさらなる負担がかかることがある。
加えて、交通機関の路線についてもまた独自のイメージカラーを有している場合がある。駅などに掲示する広告印刷物を作成するに際しては、やはり該交通機関の利用を促すことを考慮して、その路線のイメージカラーを使用することがある。従って、営業所において広告印刷物を作成する場合、交通機関独自のイメージカラー同様、路線のイメージカラーについても電子的に調合しなければならない、という問題も生じることがある。
【０００６】
従って、本発明は従来技術の問題点を解決するため、交通機関の営業所員でも容易に広告印刷物を作成することができ、また広告印刷物を作成する際に、交通機関独自のイメージカラーや該交通機関の路線独自のイメージカラーなどを使用し得る印刷システムを提供することを目的とする。
【課題を解決するための手段】
【０００７】
かかる課題を解決する為に、請求項１に係る発明は、交通機関の営業所に配置されたクライアントと、前記交通機関の営業拠点に配置され前記クライアントとネットワークで接続されたサーバと、前記サーバに接続されたデジタル印刷機と、からなる印刷システムにおいて、前記クライアントが、前記サーバから送信された広告印刷物作成用テンプレートを受信するテンプレート受信手段と、前記交通機関の営業所周辺の広告用画像を取得する広告用画像取得手段と、前記広告用画像および広告印刷物作成用テンプレートを利用して広告印刷物レイアウトデータの作成を行うレイアウト手段と、前記レイアウト手段で作成された広告印刷物レイアウトデータを前記サーバへ送信するレイアウトデータ送信手段と、を有し、前記サーバが、前記クライアントに広告印刷物作成用テンプレートを送信するテンプレート送信手段と、前記クライアントから送信された広告印刷物レイアウトデータを受信するレイアウトデータ受信手段と、前記広告印刷物レイアウトデータの印刷処理を行う印刷処理手段と、前記印刷処理手段によって処理が行なわれた広告印刷物作成データをデジタル印刷機へ出力する作成データ出力手段と、を有することを特徴としている。
【０００８】
請求項１に記載の印刷システムは、交通機関の営業所に配置されたクライアントにおいて、該交通機関の拠点に配置されたサーバから広告印刷物作成用テンプレートを取得し、また営業所周辺から広告用画像を取得することにより、広告印刷物作成用テンプレートと広告用画像とを利用して広告印刷物レイアウトデータを作成することができる。作成された広告印刷物レイアウトデータは、交通機関の拠点に配置されたサーバにおいて印刷処理が行なわれ、該サーバに接続されたデジタル印刷機により広告印刷物の印刷が行なわれる。これにより、交通機関の営業所員が容易に広告印刷物を作成することができる。
【０００９】
また、請求項２に係わる発明は、請求項１の印刷システムであって、前記サーバは、さらに、前記クライアントの広告用画像取得手段が取得する広告用画像の取得先に関する情報を蓄積した広告用画像取得先データベースを備えており、前記クライアントの広告用画像取得手段が、前記サーバの広告用画像取得先データベースに蓄積された情報を参照して広告用画像を取得すること、を特徴としている。
【００１０】
請求項２に記載の印刷システムは、サーバが広告用画像取得に関する情報を蓄積した広告用画像取得先データベースを備えているため、クライアントが広告印刷物を作成するのに必要な広告用画像を取得するとき、該広告用画像取得先データベースを参照して広告用画像を取得することができるので、交通機関の営業所員が容易に広告印刷物を作成することができる。
【００１１】
また請求項３に係る発明は、請求項１に記載の印刷システムであって、前記サーバのテンプレート送信手段が送信する広告印刷物作成用テンプレートは、前記交通機関のイメージカラーを使用していることを特徴としている。
【００１２】
請求項３に記載の印刷システムは、広告印刷物を作成するための広告印刷物作成用テンプレートにおいて、交通機関独自のイメージカラーが使用されているので、広告印刷物作成時に改めて電子的にイメージカラーを調合する必要がないため、交通機関の営業所員が容易に広告印刷物を作成することができる。
【００１３】
更に請求項４に係る発明は、請求項１に記載の印刷システムであって、前記サーバのテンプレート送信手段が送信する広告印刷物作成用テンプレートは、前記交通機関のイメージ地紋を使用していることを特徴としている。
【００１４】
請求項４に記載の印刷システムは、広告印刷物を作成するための広告印刷物作成用テンプレートにおいて、交通機関独自のイメージ地紋が使用されているので、広告印刷物作成時に改めて地紋を作成する必要がないため、交通機関の営業所員が容易に広告印刷物を作成することができる。
【００１５】
また請求項５に係る発明は、請求項１に記載の印刷システムであって、前記サーバのテンプレート送信手段が送信する広告印刷物作成用テンプレートは、前記交通機関の路線におけるイメージカラーを使用していることを特徴としている。
【００１６】
請求項５に記載の印刷システムは、広告印刷物を作成するための広告印刷物作成用テンプレートにおいて、交通機関の路線独自のイメージカラーが使用されているので、広告印刷物作成時に改めて電子的にイメージカラーを調合する必要がないため、交通機関の営業所員が容易に広告印刷物を作成することができる。
【００１７】
さらに請求項６に係る発明は、請求項１に記載の印刷システムであって、前記サーバのテンプレート送信手段が送信する広告印刷物作成用テンプレートは、前記交通機関の路線におけるイメージ地紋を使用していることを特徴としている。
【００１８】
請求項６に記載の印刷システムは、広告印刷物を作成するための広告印刷物作成用テンプレートにおいて、交通機関の路線独自のイメージ地紋が使用されているので、広告印刷物作成時に改めて地紋を作成する必要がないため、交通機関の営業所員が容易に広告印刷物を作成することができる。
【００１９】
加えて請求項７に係る発明は、請求項１に記載の印刷システムであって、前記クライアントのレイアウトデータ送信手段が、該クライアントが配置された交通機関の営業所名を前記レイアウトデータに添付して送信し、前記サーバの印刷処理手段が、前記レイアウトデータに添付された交通機関の営業所名を広告印刷物作成データに付加することにより、前記デジタル印刷機において印刷される広告印刷物の欄外に前記交通機関の営業所名が印刷されること、を特徴としている。
【００２０】
請求項７に記載の印刷システムは、交通機関によっては、例えば鉄道会社などでは一つの駅事務所が複数の駅について管理を行っていることがあり、このような場合、ある駅に関する広告印刷物を作成した際に、該広告印刷物の配送を広告印刷物の欄外に印刷された営業所名を参照して行うことができる。その結果、駅に対して直接ではなく、その駅を管理している駅事務所に広告印刷物を配送することができるので、広告印刷物の誤配を防ぐことができる。
【００２１】
請求項８に係る発明は、交通機関の営業所に配置されたクライアントと、前記交通機関の営業拠点に配置され前記クライアントとネットワークで接続されたサーバと、前記サーバに接続されたデジタル印刷機と、からなる印刷システムにおけるクライアントであって、前記サーバから送信された広告印刷物作成用テンプレートを受信するテンプレート受信手段と、前記交通機関の営業所周辺の広告用画像を取得する広告用画像取得手段と、前記広告用画像および広告印刷物作成用テンプレートを利用して広告印刷物レイアウトデータの作成を行うレイアウト手段と、前記レイアウト手段で作成された広告印刷物レイアウトデータを前記サーバへ送信するレイアウトデータ送信手段と、を有することを特徴としている。
【００２２】
請求項８に記載のクライアントは、交通機関の拠点に配置されたサーバから広告印刷物作成用テンプレートを取得し、また営業所周辺から広告用画像を取得することにより、広告印刷物作成用テンプレートと広告用画像とを利用して広告印刷物レイアウトデータを作成することができるので、交通機関の営業所員が容易に広告印刷物を作成することができる。
【００２３】
また、請求項９に係る発明は、交通機関の営業所に配置されたクライアントと、前記交通機関の営業拠点に配置され前記クライアントとネットワークで接続されたサーバと、前記サーバに接続されたデジタル印刷機と、からなる印刷システムにおけるサーバであって、前記クライアントに広告印刷物作成用テンプレートを送信するテンプレート送信手段と、前記クライアントから送信された広告印刷物レイアウトデータを受信するレイアウトデータ受信手段と、前記広告印刷物レイアウトデータの印刷処理を行う印刷処理手段と、前記印刷処理手段によって処理が行なわれた広告印刷物作成データをデジタル印刷機へ出力する作成データ出力手段と、を有することを特徴としている。
【００２４】
請求項９に記載のサーバは、交通機関の営業所に配置されたクライアントに対して広告印刷物作成用テンプレートを送信した結果作成された広告印刷物レイアウトデータを印刷処理し、接続されているデジタル印刷機により広告印刷物の印刷を行うので、交通機関の営業所員が容易に広告印刷物を作成することができる。
【００２５】
さらに請求項１０に係わる発明は、請求項８に記載のクライアントをコンピュータで実現するためのプログラムである。
請求項１０に記載のプログラムは、一般的に使用されているコンピュータを請求項８に記載のクライアントとして動作させることができる。
【００２６】
加えて請求項１１に係わる発明は、請求項９に記載のサーバをコンピュータで実現するためのプログラムである。
請求項１１に記載のプログラムは、一般的に使用されているコンピュータを請求項９に記載のサーバとして動作させることができる。
【発明を実施するための最良の形態】
【００２７】
以下、図面を利用しながら、本発明を実施するための最良の形態について、説明を行なう。
【実施例１】
【００２８】
図1は、本発明に関わる印刷システム１００の構成を説明するための図である。印刷システム１００は、鉄道会社の路線に付随するよう構築されており、図示しているように、クライアント１ａ、１ｂは鉄道の路線駅に配置されており、サーバ２が鉄道路線のターミナル駅に配置されている。サーバ２には通信線ＣＬを介してデジタル印刷機３が接続されており、クライアント１ａ、１ｂとサーバ２とはネットワーク４で接続されている。また、ターミナル駅と路線駅との間は列車の運行が行なわれている。
なお、ここでは印刷システム１００が構築された例として鉄道会社を示しているが、印刷システム１００の構築は新交通システムやレールバス、あるいは他の交通機関に対して行うこともできる。
【００２９】
図２は、クライアント１の構成を説明するための図である。クライアントレイアウト装置１は、一般的に使用されているパーソナルコンピュータであり、ＣＰＵ１１、表示部１２、入力部１３、ネットワークＩ／Ｆ１４、メディアドライブ１５、記憶部１６、メモリ１７、広告用画像取得Ｉ／Ｆ１９より構成されている。
ＣＰＵ１１は、クライアント１全体を制御し、特にメディアドライブ１５に挿入されたメディアディスク１８に記録されているプログラム１６１をメモリ１７において実行することによって、クライアント１の機能を実現している。
表示部１２は、広告印刷物レイアウト処理に必要な情報を表示するために使用される。
入力部１３は、マウスやキーボードで構成されており、クライアント１に対して営業所員が指示を入力するために使用する。
ネットワークＩ／Ｆ１４は、クライアント１とネットワーク４とを接続するためのものである。ネットワークＩ／Ｆ１４を介して、クライアント１はネットワーク４を介して、サーバ２から広告印刷物作成用テンプレートＴＰを受信する。また、サーバ２に対して、ネットワークＩ／Ｆ１４を介してネットワーク４を経て、後述するプロセスによって作成された広告印刷物レイアウトデータＬＤを送信する。加えて、図示しないサーバより、クライアント１の機能を実現するプログラム１６１をダウンロードすることも可能である。
メディアドライブ１５は、メディアディスク１８に記録されているプログラム１６１を読み取るために使用する。メディアドライブ１５で読み取られたプログラム１６１により、クライアント１の機能が実現される。記憶部１６は、メディアドライブ１５で読み取られたプログラム１６１を格納する。
広告用画像取得Ｉ／Ｆ１９は、クライアント１が配置された路線駅周辺の広告用画像ＫＩを取得するためのインタフェイスであり、例えば路線駅周辺の観光協会などが主催するWebページや、広告作成希望者から送付された広告に使用する画像を広告用画像ＫＩとして取得するために使用される。なお、広告用画像取得Ｉ／Ｆ１９は、ネットワークＩ／Ｆ１４により実現するようにしてもよい。
【００３０】
メモリ１７は、記憶部１６によって記憶されたプログラム１６１をＣＰＵ１１が実行するためのワークエリアである。ＣＰＵ１１によってプログラム１６１が実行された結果、メモリ１７において、広告用画像取得部１７１、テンプレート取得部１７２、レイアウト実行部１７３、レイアウトデータ出力部１７４の機能が実現される。
【００３１】
広告用画像取得部１７１は、広告用画像取得Ｉ／Ｆ１９を介して、クライアント１が配置された路線駅周辺の広告用画像ＫＩを取得する。広告用画像取得部１７１は、路線駅周辺の観光協会などが主催するWebページや広告作成希望者から送付された広告に使用する画像を広告用画像ＫＩとして取得し、一時的に格納する。広告用画像取得部１７１が取得した広告用画像ＫＩは、後述するプロセスで広告印刷物レイアウトデータＬＤの作成に使用される。
また、広告用画像取得部１７１は、後述するサーバ２に備えられた広告用画像取得先データベース２７５を参照して、広告用画像ＫＩを取得することもできる。
【００３２】
テンプレート取得部１７２は、ネットワークＩ／Ｆ１４を介して、サーバ１より送信された広告印刷物作成用テンプレートＴＰを取得する。広告印刷物作成用テンプレートＴＰは、広告印刷物レイアウトデータＬＤ作成の際に使用されるテンプレートであり、画像や文字列の配置位置が予め定められているので、後述する広告印刷物レイアウトデータＬＤ作成時に、画像や文字列の配置を容易に行うことができる。テンプレート取得部１７２は、サーバ２に対して、広告印刷物作成用テンプレートＴＰを要求し、複数の広告印刷物作成用テンプレートＴＰのうちから、所望の広告印刷物作成用テンプレートＴＰを取得する。取得した広告印刷物作成用テンプレートＴＰを、テンプレート取得部１７２は一時的に格納する。
【００３３】
レイアウト実行部１７３は、広告用画像取得部１７１が取得した広告用画像ＫＩと、テンプレート取得部１７２が取得した広告印刷物作成用テンプレートＴＰとを使用して、広告印刷物レイアウトデータＬＤを作成する。営業所員による入力部１３の操作に基づいて、レイアウト実行部１７３が広告印刷物作成用テンプレートＴＰに広告用画像ＫＩや文字列を配置することにより、広告印刷物レイアウトデータＬＤが作成される。レイアウト実行部１７３は、作成した広告印刷物レイアウトデータＬＤを一時的に格納する。
【００３４】
レイアウトデータ出力部１７４は、レイアウト実行部１７３により作成された広告印刷物レイアウトデータＬＤを、ネットワークＩ／Ｆ１４を介して、サーバ２へ送信する。このとき、レイアウトデータ出力部１７４は、広告印刷物レイアウトデータＬＤに、クライアント１が配置された営業所名を示す営業所名データＴＸを添付する。これにより、広告印刷物レイアウトデータＬＤを作成した営業所名データＴＸが添付された広告印刷物レイアウトデータＬＤが、サーバ２へ送信される。
【００３５】
なお、広告用画像取得部１７１が取得した広告用画像ＫＩ、テンプレート取得部１７２が取得した広告印刷物作成用テンプレートＴＰ、レイアウト実行部１７３が作成した広告印刷物レイアウトデータＬＤについては、記憶部１６に一時的に格納するようにしてもよい。
【００３６】
図３は、サーバ２の構成を説明するための図である。サーバ２は、一般的に使用されているパーソナルコンピュータであり、ＣＰＵ２１、表示部２２、入力部２３、ネットワークＩ／Ｆ２４、メディアドライブ２５、記憶部２６、メモリ２７より構成されている。
ＣＰＵ２１は、サーバ２全体を制御し、特にメディアドライブ２５に挿入されたメディアディスク２８に記録されているプログラム２６１をメモリ２７において実行することによって、サーバ２の機能を実現している。
表示部２２は、広告印刷物印刷データ作成に必要な情報を表示するために使用される。
入力部２３は、マウスやキーボードで構成されており、サーバ２に対してオペレータが指示を入力するために使用する。
ネットワークＩ／Ｆ２４は、サーバ２とネットワーク４とを接続するためのものである。ネットワークＩ／Ｆ２４を介して、サーバ２はネットワークに接続されているクライアント１に対して広告印刷物作成用テンプレートＴＰを送信する。また、ネットワークＩ／Ｆ２４を介してネットワーク４を経て、後述するプロセスによりクライアント１で作成された広告印刷物レイアウトデータＬＤを取得する。さらに、図示しないサーバより、サーバ２の機能を実現するプログラム２６１をダウンロードすることも可能である。なお、ここでは接続されているクライアント１の数は一つであるが、サーバ２と接続されるクライアント１の数はこれに限られるものではない。
メディアドライブ２５は、メディアディスク２８に記録されているプログラム２６１を読み取るために使用する。メディアドライブ２５で読み取られたプログラムにより、サーバ２の機能が実現される。記憶部２６は、メディアドライブ２５で読み取られたプログラム２６１を格納する。
【００３７】
メモリ２７は、記憶部２６によって記憶されたプログラム２６１をＣＰＵ２１が実行するためのワークエリアである。ＣＰＵ２１によってプログラム２６１が実行された結果、メモリ２７において、テンプレート送信部２７１、レイアウトデータ取得部２７２、印刷処理部２７３、印刷データ出力部２７４の機能が実現する。
【００３８】
テンプレート送信部２７１は、ネットワークＩ／Ｆ２４を介して、クライアント１に対して広告印刷物作成用テンプレートＴＰを送信する。テンプレート送信部２７１は複数の広告印刷物作成用テンプレートＴＰを格納しており、クライアント１から広告印刷物作成用テンプレートＴＰの送信が要求されたとき、複数の広告印刷物作成用テンプレートＴＰを、例えばタイリング表示などを行うことにより提示する。そして、クライアント１を操作する営業所員が広告印刷物作成用テンプレートＴＰを選択したならば、該クライアント１に対して、選択された広告印刷物作成用テンプレートＴＰを送信する。このとき、テンプレート送信部２７１は、クライアント１が配置された営業所の位置する路線に付与されたイメージカラーを、広告印刷物作成用テンプレートＴＰに付与する。
【００３９】
レイアウトデータ取得部２７２は、ネットワークＩ／Ｆ２４を介して、クライアント１から送信された広告印刷物レイアウトデータＬＤを取得する。レイアウトデータ取得部２７２は、取得した広告印刷物レイアウトデータＬＤを一時的に格納する。
【００４０】
印刷処理部２７３は、レイアウトデータ取得部２７２が取得した広告印刷物レイアウトデータＬＤに対して、デジタル印刷機３で出力するための印刷処理を行う。印刷処理部２７３が広告印刷物レイアウトデータＬＤに対して行う印刷処理としては、ＲＧＢ→ＹＭＣＫ色変換や、トラッピング処理、ラスタライズ処理、スクリーニング処理などが挙げられる。また、広告印刷物レイアウトデータＬＤに添付された該広告印刷物レイアウトデータＬＤを作成した営業所名を示す営業所名データＴＸに基づいて、印刷処理部２７３は、営業所名が広告印刷物の欄外の位置に印刷されるよう、配置を行う。広告印刷物の欄外とは、例えば広告印刷物の左乃至右上隅、あるいは左乃至右下隅の位置である。印刷処理部２７３が広告印刷物レイアウトデータＬＤに対して印刷処理を行った結果、広告印刷物印刷データＰＤが作成される。作成された広告印刷物印刷データＰＤを、印刷処理部２７３は一時的に格納する。
【００４１】
印刷データ出力部２７４は、印刷処理部２７３が作成した広告印刷物印刷データＰＤを、通信線ＣＬを介して、デジタル印刷機３へ出力する。
【００４２】
広告用画像取得先データベース２７５は、クライアント１の広告用画像取得部１７１が広告用画像ＫＩを取得するための広告用画像に関する情報を蓄積している。広告用画像取得先データベース２７５は、広告用画像を有しているネットワーク４に接続された図示しない他のサーバに関する情報について、広告のジャンル別、広告のニーズ、広告の対象範囲など、広告用画像を取得する際に必要な分類を行った上で蓄積している。広告用画像取得先データベース２７５は、広告用画像取得部１７１の要求に応じて、該広告用画像取得部１７１が取得を所望する広告用画像ＫＩの格納先を提示する。
【００４３】
通信線ＣＬは、サーバ２とデジタル印刷機３とを接続するためのものである。後述するプロセスで、サーバ２において作成された広告印刷物印刷データＰＤは、通信線ＣＬを介して、デジタル印刷機３へ送信される。
【００４４】
デジタル印刷機３は、一般的に使用されているデジタル印刷機（オンデマンド印刷機とも呼ばれる）である。デジタル印刷機３は、サーバ２によって作成された広告印刷物印刷データＰＤに基づいて直接的に印刷像を印刷用紙に印刷することができる印刷機である。デジタル印刷機３は、電子写真方式やインクジェット方式、あるいはオフセット方式、グラヴィア方式など、所望の印刷方式を備えたデジタル印刷機を選択することができる。
【００４５】
なお、テンプレート送信部２７１が格納する複数の広告印刷物作成用テンプレートＴＰ、レイアウトデータ取得部２７２が取得した広告印刷物レイアウトデータＬＤ、印刷処理部２７３が作成した広告印刷物印刷データＰＤは、記憶部２６へ一時的に格納するようにしてもよい。
【００４６】
図４は、印刷システム１００の動作を説明するためのフローチャートである。図示しているように、クライアント１とサーバ２とは並行して動作している。
【００４７】
クライアント１のステップＳ１ｃにおいて、営業所員がクライアント１の入力部１３を操作することにより、クライアント１のテンプレート取得部１７２がサーバ２に対して広告印刷物作成用テンプレートＴＰを要求する。
サーバ２は、テンプレート取得部１７２の要求を受けて、テンプレート送信部２７１に格納された複数の広告印刷物作成用テンプレートＴＰを、例えばタイリング表示などを行うことにより、ネットワーク４を介して、クライアント１を操作する営業所員に提示する。クライアント１を操作する営業所員が、広告印刷物作成用テンプレートＴＰを選択したならば、テンプレート送信部２７１が該選択された広告印刷物作成用テンプレートＴＰを、クライアント１へ送信する（ステップＳ１ｓ）。
【００４８】
このとき、テンプレート送信部２７１は、クライアント１が配置された営業所の位置する路線に関わるイメージカラーを、広告印刷物作成用テンプレートＴＰに付与する。
【００４９】
図５（ａ）は、テンプレート送信部２７１による、複数の広告印刷物作成用テンプレートＴＰの格納状態を説明するための図である。テンプレート送信部２７１は、広告印刷物作成用テンプレートＴＰ１、ＴＰ２、ＴＰ３を格納している。また、テンプレート送信部２７１は、広告印刷物作成用テンプレートＴＰとは別に、会社イメージカラー情報Ｃｉｃ、複数の路線イメージカラー情報Ｌｉｃ１、２、３を格納している。ここでは会社イメージカラーが「赤」、路線イメージカラーＬｉｃ１が「青」、Ｌｉｃ２が「緑」、Ｌｉｃ３が「黄」であるものとする。
なお、テンプレート送信部２７１が格納する広告印刷物作成用テンプレートＴＰの数、及び路線イメージカラーの数は、上記の数に限定されるものではない。また、会社イメージカラー、および路線イメージカラーについても、上記の色に限定されるものではない。
【００５０】
図５（ｂ）は、広告印刷物作成用テンプレートＴＰの一例を示すための図である。図示している広告印刷物作成用テンプレートＴＰでは、会社イメージカラーが広告印刷物の縁取りとして配色されており、また路線イメージカラーが広告印刷物の地色となるよう配色されている。テンプレート送信部２７１は、クライアント１と通信したとき、該クライアント１が配置された営業所の位置する路線名を取得することにより、広告印刷物作成用テンプレートＴＰに、路線に関するイメージカラーを付与することができる。
なお、広告印刷物作成用テンプレートＴＰに付与する会社イメージカラー、および路線イメージカラーについては、上記の態様に限定されるものではない。例えば、地色に会社イメージカラーを適用するようにしてもよいし、縁取りに路線イメージカラーを適用するようにしてもよい。また、文字色に会社もしくは路線イメージカラーを適用することもできる。
【００５１】
図４に戻り、ステップＳ１ｓで、サーバ２のテンプレート送信部２７１により送信された広告印刷物作成用テンプレートＴＰを、クライアント１のテンプレート取得部１７２が取得する。テンプレート取得部１７２は、広告印刷物作成用テンプレートＴＰを一時的に格納する（ステップＳ２ｃ）。
【００５２】
ステップＳ３ｃでは、営業所員が入力部１３を操作することにより、広告用画像取得部１７１がサーバ２の広告用画像取得先データベース２７５を参照するか否かを決定する。
広告用画像ＫＩを取得するに際して、広告用画像取得先データベース２７５を参照しない場合は、ステップＳ４ｃへ移行する。広告用画像取得先データベース２７５を参照して広告用画像ＫＩを取得するならば、営業所員は入力部１３を操作して、広告印刷物作成に必要な広告用画像ＫＩの検索条件Ｃを入力する。広告用画像取得部１７１は、ネットワーク４を介して、入力された検索条件Ｃをサーバ２へ送信する。
入力すべき検索条件Ｃとしては、例えば作成する広告印刷物のジャンル、広告印刷物のニーズ、広告印刷物の対象範囲などが挙げられる。また、広告用画像取得部１７１は、クライアント１が配置された営業所の名称を、検索条件Ｃに添付する。これにより、後述する広告用画像取得先データベース２７５の検索において、クライアント１が配置された営業所近辺に関する広告用画像ＫＩを格納した他のサーバの検索を優先的に行うことができる。
【００５３】
ステップＳ２ｓにおいて、ステップＳ３ｃでクライアント１から送信された検索条件Ｃに基づいて、サーバ２が広告用画像取得先データベース２７５の検索を行う。
サーバ２のＣＰＵ２７１は、ネットワーク４を介して、クライアント１から送信された検索条件Ｃを受信すると、検索条件Ｃを発信したクライアント１の営業所名を確認し、該営業所名を検索条件Ｃにおける最優先事項とする。その後、他の検索条件Ｃを利用して、広告用画像取得先データベース２７５の検索を実行する。広告用画像取得先データベース２７５は、検索条件Ｃに一致する広告用画像ＫＩを格納した他のサーバに関する情報を抽出する。
【００５４】
ステップＳ３ｓで、サーバ２はステップＳ２ｓで実行した広告用画像取得先データベース２７５における検索結果Ｒをクライアント１へ送信する。
【００５５】
ステップＳ４ｃにおいて、広告用画像取得部１７１が、広告用画像取得Ｉ／Ｆ１９を介して、営業所周辺から広告用画像ＫＩを取得する。広告用画像取得部１７１は、例えば営業所周辺の観光に関する広告印刷物を作成する場合、営業所周辺の観光協会が主催するWebページにアクセスし、所望する広告用画像ＫＩを、広告用画像取得部１７１が取得する。あるいは、広告依頼者から直接広告に使用する広告用画像ＫＩが送信された場合、広告用画像取得部１７１は該広告用画像ＫＩを取得する。
また、ステップＳ２ｓで、広告用画像取得先データベース２７５における検索の結果、ステップＳ３ｃで入力した検索条件Ｃに一致する広告用画像ＫＩを格納している他のサーバが判明した場合、広告用画像取得部１７１は該サーバにアクセスを行い、広告用画像ＫＩを取得する。
【００５６】
なお、クライアント1におけるステップＳ１ｃおよびＳ２ｃと、ステップＳ３ｃは、その実行順序を変更してもよい。
【００５７】
ステップＳ５ｃにおいて、クライアント１のレイアウト実行部１７３が、広告用画像取得部１７１が取得した広告用画像ＫＩと、テンプレート取得部１７２が取得した広告印刷物作成用テンプレートＴＰとから、広告印刷物レイアウトデータＬＤを作成する。レイアウト実行部１７３は、表示部１２に、広告印刷物作成用テンプレートＴＰと、広告用画像ＫＩを表示する。営業所員が、入力部１３を操作して、表示部１２に表示された広告印刷物作成用テンプレートＴＰに広告用画像ＫＩを配置し、文字列を入力することにより、レイアウト実行部１７３が広告印刷物レイアウトデータＬＤを作成する。
【００５８】
ステップＳ６ｃで、レイアウトデータ出力部１７４が、広告印刷物レイアウトデータＬＤを、ネットワーク４を介して、サーバ２へ送信する。このとき、レイアウトデータ出力部１７４は、クライアント１が配置された営業所名を示す営業所名データＴＸを、広告印刷物レイアウトデータＬＤに添付する。
【００５９】
図６は、広告印刷物レイアウトデータＬＤの構成を説明するための図である。広告印刷物レイアウトデータＬＤは、図示しているように、使用している広告印刷物作成用テンプレートＴＰの種類、使用している文字列のフォント、フォントサイズ、文字色、配置位置、および使用している広告用画像ＫＩ、配置位置を格納している。また、広告印刷物レイアウトデータＬＤは、レイアウトデータ出力部１７４により、図示しているように、営業所名データＴＸとリンクされている。
なお、営業所名データＴＸは、広告印刷物レイアウトデータＬＤのヘッダ部などに含めるようにしてもよい。
【００６０】
ステップＳ６ｃにおいて、クライアント１から出力された広告印刷物レイアウトデータＬＤは、ネットワーク４を介して、サーバ２へ送信される。サーバ２のレイアウトデータ取得部２７２が、広告印刷物レイアウトデータＬＤを取得する（ステップＳ４ｓ）。
【００６１】
ステップＳ５ｓで、印刷処理部２７３が、広告印刷物レイアウトデータＬＤを広告印刷物印刷データＰＤに変換する印刷処理を実行する。印刷処理部２７３は、広告印刷物レイアウトデータＬＤに対して、ＲＧＢ→ＹＭＣＫ色変換や、トラッピング処理、ラスタライズ処理、スクリーニング処理などの印刷処理を行うことにより、広告印刷物印刷データＰＤに変換する。
【００６２】
印刷処理部２７３で行なわれる印刷処理とは、下記のような処理である。
（１）ＲＧＢ→ＹＭＣＫ色変換：デジタルカメラなどで撮影した画像データは、ＲＧＢによる色定義が行なわれていることが多いので、印刷に使用できるＹＭＣＫ色定義に変換を行う。
（２）トラッピング処理：印刷時の版ズレを防ぐため、色の薄い版を色の濃い版にもぐり込ませる。
（３）ラスタライズ処理：広告印刷物レイアウトデータＬＤがページ記述言語で記述されたスクリプトであった場合、そのままでは印刷を行うことができないので、ラスタライズ処理を行い、印刷像を表現する画像に変換する。
（４）スクリーニング処理：（３）のラスタライズ処理で変換された画像に網点化処理を施すことにより、デジタル印刷機３による印刷が可能な二値化データに変換する。
【００６３】
印刷処理部２７３は、さらに、広告印刷物レイアウトデータＬＤに添付された営業所名データＴＸについて、営業所名が広告印刷物の欄外の位置に印刷されるよう、配置を行う。広告印刷物の欄外とは、例えば広告印刷物の左乃至右上隅、あるいは左乃至右下隅の位置である。
【００６４】
ステップＳ６ｓにおいて、印刷データ出力部２７４が、印刷処理部２７３が作成した広告印刷物印刷データＰＤを、通信線ＣＬを介してデジタル印刷機３へ出力する。デジタル印刷機３は、広告印刷物印刷データＰＤに基づいて、該広告印刷物印刷データＰＤが表現する印刷像を印刷用紙に印刷する。印刷された広告印刷物は、該広告印刷物の欄外に配置された営業所名を参照して、交通機関を利用して該営業所に送付される。
【００６５】
図７は、印刷システム１００による広告印刷物の印刷に関する具体例を説明するための、鉄道会社Ｒの路線図である。鉄道会社Ｒは、観光地を走る路線Ａと都会部を走る路線Ｂを有しており、路線Ａと路線Ｂはターミナル駅Ｔで連絡している。鉄道会社Ｒのイメージカラーは「赤」であり、路線Ａのイメージカラーは「緑」、路線「Ｂ」のイメージカラーは「青」である。
路線Ａのａ駅にクライアント１ａ、路線Ｂのｂ駅にクライアント１ｂが配置され、ターミナル駅Ｔにサーバ２とデジタル印刷機３が配置されており、クライアント１ａ、１ｂとサーバ２とは、鉄道会社Ｒが設備したネットワーク４（図示せず）で接続されている。また、ａ駅は、無人駅であるｃ駅の業務管理を行なっている。さらに、ｃ駅周辺にはテーマパークＰがあり、ｂ駅周辺にはラーメン名店街Ｌが存在する。
このような状態で、ａ駅の駅員がｃ駅に掲示するテーマパークＰのポスターを作成し、ｂ駅の駅員がｂ駅に掲示するラーメン名店街Ｌのポスターを作成するものとして、以降の説明を行う。
【００６６】
図８は、クライアント１ａ、および１ｂが広告用画像ＫＩを取得する状態を説明するための図である。
図８（ａ）では、クライアント１ａが、テーマパークＰの広告用画像ＫＩを取得する状態を示している。ａ駅の駅員は、広告用画像ＫＩを取得するため、クライアント１ａをテーマパークＰが主催するWebページにアクセスさせる。駅員の操作により、クライアント１ａの広告用画像取得部１７１ａは、広告用画像取得Ｉ／Ｆ１９ａを介して、テーマパークＰのWebページから、テーマパークＰの位置を示すための「Pmap.bmp」、テーマパークＰを紹介するための写真である「parkview1.bmp」、「parkview2.bmp」という広告用画像ＫＩを取得する。
一方、図８（ｂ）では、クライアント１ｂが、ラーメン名店街Ｌの広告用画像を取得する状態を示している。ｂ駅の駅員は、ラーメン名店街Ｌの同業者組合から送信されたe-mailを受信するため、クライアント１ｂを操作する。クライアント１ｂの広告用画像取得部１７１ｂは、広告用画像取得Ｉ／Ｆ１９ｂを介して、該e-mailを受信する。ポスター作成のためe-mailに添付されていたラーメン名店街Ｌの位置を示すための「Lmap.bmp」、ラーメンの写真である「ramen.bmp」、ラーメン名店街Ｌの外観を示した「townview.bmp」を、広告用画像取得部１７１ｂは広告用画像ＫＩとして取得する。
また、図８（ｃ）は、クライアント１ａから広告用画像ＫＩ取得のための検索をサーバ２に対して行い、サーバ２が検索結果Ｒをクライアント１へ送信することにより、広告用画像取得部１７１が他のサーバから広告用画像ＫＩを取得している状態を示している。
ａ駅の駅員が、テーマパークＰの広告印刷物を作成するため、広告用画像取得部１７１に対して検索条件Ｃを入力する。ここでは、検索条件Ｃとして、広告のジャンルが「テーマパーク」、テーマパークＰの概要を示すための「全景」、テーマパークＰで楽しんでいる人を広告印刷物にて示すための「人物」、そしてテーマパークＰの位置を示すための「地図」を入力したものとする。広告用画像取得部１７１は、入力された検索条件Ｃに該検索条件Ｃを発信するクライアント１が「１ａ」であることを示す情報を添付して、ネットワーク４を介して、サーバ２へ送信する。
サーバ２が検索条件Ｃを受信すると、広告用画像取得先データベース２７５の検索を実行する。入力された検索条件Ｃを発信したクライアント１が「１ａ」であることから、広告用画像取得先データベース２７５における検索の優先事項はクライアント１ａが配置されたａ駅周辺となる。さらに、検索条件Ｃを参照して、広告用画像取得先データベース２７５の検索が実行される。ここでは、ａ駅周辺であり、広告のジャンルが「テーマパーク」であることから、広告用画像取得先データベース２７５は、蓄積している情報の中からテーマパークＰのサーバを抽出する。その結果、クライアント１ａは広告用画像ＫＩを取得すべきサーバを認識することができる。それに留まらず、検索条件Ｃとして「全景」、「人物」、「地図」が入力されていることから、広告用画像取得先データベース２７５は、広告用画像取得部１７１が取得すべき広告用画像ＫＩについて、テーマパークＰのサーバに格納された「parkview1.bmp」、「parkview2.bmp」、「Pmap.bmp」であることを検索結果Ｒとして、クライアント１ａへ送信する。これにより、クライアント１ａを操作する営業所員は、検索結果Ｒに基づいて、広告用画像取得部１７１によって広告用画像ＫＩとして「parkview1.bmp」、「parkview2.bmp」、「Pmap.bmp」を取得する。
【００６７】
図９は、クライアント１ａが取得した広告印刷物作成用テンプレートＴＰ１ａと、クライアント１ｂが取得した広告印刷物作成用テンプレートＴＰ１ｂとの相違を示している。
クライアント１ａのテンプレート取得部１７２ａにおいても、クライアント１ｂのテンプレート取得部１７２ｂにおいても、ポスター作成のため、同一の広告印刷物作成用テンプレートＴＰ１を、サーバ２のテンプレート送信部２７１から取得している。しかし、ａ駅の位置する路線が路線Ａ（イメージカラー：緑）であり、ｂ駅の位置する路線が路線Ｂ（イメージカラー：青）であることから、サーバ２のテンプレート送信部２７１は、クライアント１ａに送信した広告印刷物作成用テンプレートＴＰ１には路線Ａのイメージカラーである「緑」を付与し、クライアント１bに送信した同じく広告印刷物作成用テンプレートＴＰ１には路線Ｂのイメージカラーである「青」を付与している。
その結果、図９（ａ）、（ｂ）に図示しているように、縁取りは会社のイメージカラーである赤で共通しているが、広告印刷物作成用テンプレートＴＰ１ａでは地色が緑となっており、広告印刷物作成用テンプレートＴＰ１ｂでは地色が青となる。これにより、ポスターの内容とは別に、ポスターの掲示される路線を容易にイメージすることができる。
【００６８】
図１０は、クライアント１ａおよび１ｂで作成された広告印刷物レイアウトデータＬＤａおよびＬＤｂの表示態様、並びに、サーバ２の印刷処理部２７３で印刷処理を行った結果得られる広告印刷物印刷データＰＤａおよびＰＤｂの表現する印刷像を説明するための図である。
【００６９】
図１０（ａ）および（ｂ）は、クライアント１ａおよび１ｂで作成された広告印刷物レイアウトデータＬＤａおよびＬＤｂが表示部１２ａおよび１２ｂに表示された状態を示している。
ａ駅の駅員が、入力部１３ａを操作して、レイアウト実行部１７３ａが「Pmap.bmp」、「parkview1.bmp」、「parkview2.bmp」を広告印刷物作成用テンプレートＴＰ１ａに配置し、所望の文字列を配置することにより、広告印刷物レイアウトデータＬＤａが作成される。その結果、図１０（ａ）に示すように、広告印刷物レイアウトデータＬＤａが表示部１２ａに表示される。
一方、ｂ駅の駅員が同様に、入力部１３ｂを操作して、レイアウト実行部１７３ｂが「Lmap.bmp」、「ramen.bmp」、「townview.bmp」を広告印刷物作成用テンプレートＴＰ１ｂに配置し、所望の文字列を配置することにより、図１０（ｂ）に示すように、作成された広告印刷物レイアウトデータＬＤｂが表示部１２ｂに表示される。
【００７０】
クライアント１ａおよび１ｂで作成された広告印刷物レイアウトデータＬＤａおよびＬＤｂをレイアウトデータ取得部２７２で取得したサーバ２は、印刷処理部２７３によって、広告印刷物レイアウトデータＬＤａおよびＬＤｂの印刷処理を行う。その結果、図１０（ｃ）および（ｄ）に示すような印刷像を表現する広告印刷印刷データＰＤａおよびＰＤｂが作成される。
図１０（ｃ）および（ｄ）に示した広告印刷物印刷データＰＤａおよびＰＤｂの表現する印刷像は、広告印刷物レイアウトデータＬＤａおよびＬＤｂを印刷処理したものであることから、それぞれ図１０（ａ）および（ｂ）に示したものとほぼ同様のものである。しかし、クライアント１ａおよび１ｂのレイアウトデータ出力部１７３ａおよび１７３ｂが、それぞれクライアント１ａおよび１ｂの配置された駅名を示す営業所名データＴＸａおよびＴＸｂを広告印刷物レイアウトデータＬＤａおよびＬＤｂに添付してサーバ２へ出力したことから、サーバ２の印刷処理部２７３が該駅名をそれぞれ広告印刷物の欄外に配置している点が異なっている。
その結果、広告印刷物印刷データＰＤａを印刷した広告印刷物についてはａ駅へ配送し、広告印刷物印刷データＰＤｂを印刷した広告印刷物についてはｂ駅へ配送する際に、それぞれ駅名を参照することができる。特に、広告印刷物印刷データＰＤａによって印刷された広告印刷物は、広告印刷物の印刷対象であるテーマパークＰの最寄り駅であるｃ駅が無人駅であることから、ｃ駅に直接配送する意味はなく、ｃ駅を管理するａ駅に配送する必要がある。このような場合、印刷システム１００によって印刷された広告印刷物では、駅名が広告印刷物の欄外に配置されているので、有用である。
【００７１】
これまで説明したように、図１に示した印刷システム１００が、図４に示したフローチャートのように動作することにより、交通機関の特徴や、路線それぞれの特徴を活かした広告印刷物を、交通機関の営業所員が容易に作成することができる。
「変形例」
ここまでの説明では、サーバ２のテンプレート送信部２７１が広告印刷物作成用テンプレートＴＰに付与するのは、交通機関独自のイメージカラー、あるいは／および交通機関の路線独自のイメージカラーだったが、交通機関独自の地紋、あるいは／および交通機関の路線独自の地紋であってもよい。図１１は、交通機関独自の地紋および交通機関の路線独自の地紋を、テンプレート送信部２７１が広告印刷物作成用テンプレートＴＰに付与した状態を示した図である。
【００７２】
また、ここまでの説明では、交通機関の路線数を二つとして説明してきたが、路線数が二つに限定されることはない。
【００７３】
さらに、サーバ２に接続されるデジタル印刷機３の数を一つとして説明してきたが、デジタル印刷機３の数が一つに限定されることはない。
【００７４】
加えて、クライアント１で作成された広告印刷物レイアウトデータＬＤがオンラインでサーバ２へ送信されるよう説明を行ってきたが、広告印刷物レイアウトデータＬＤをメディアディスク１８に格納して、オフラインでサーバ２へ送信するようにしてもよい。
【００７５】
また、作成する広告印刷物について、１枚もののポスターを例にして説明を行ってきたが、例えばチラシなど多数を頒布する広告印刷物を作成するようにしてもよい。
【図面の簡単な説明】
【００７６】
【図１】印刷システム１００の構成を説明するための図である。
【図２】クライアント１の構成を説明するための図である。
【図３】サーバ２の構成を説明するための図である。
【図４】印刷システム１００の動作を説明するためのフローチャートである。
【図５】広告印刷物作成用テンプレートＴＰを説明するための図である。
【図６】広告印刷物レイアウトデータＬＤを説明するための図である。
【図７】印刷システム１００による広告印刷物の印刷に関する具体例を説明するための、鉄道会社Ｒの路線図である。
【図８】クライアント１ａおよび１ｂによる広告用画像取得部１７１の動作を説明するための図である。
【図９】クライアント１ａおよび１ｂが取得した広告印刷作成用テンプレートＴＰ１ａ、ＴＰ１ｂを説明するための図である。
【図１０】クライアント１ａおよび１ｂによって作成された広告印刷用レイアウトデータＬＤａおよびＬＤｂ、並びに広告印刷用印刷データＰＤａおよびＰＤｂを説明するための図である。
【図１１】広告印刷作成用テンプレートＴＰに地紋を使用した状態を説明するための図である。
【符号の説明】
【００７７】
１  クライアント
２  サーバ
３  デジタル印刷機
４  ネットワーク
１１、２１  ＣＰＵ
１２、２２  表示部
１３、２３  入力部
１４、２４  ネットワークＩ／Ｆ
１５、２５  メディアドライブ
１６、２６  記憶部
１７、２７  メモリ
１８、２８  メディアディスク
１９  広告用画像取得Ｉ／Ｆ
１００  印刷システム
１７１  広告用画像取得部
１７２  テンプレート取得部
１７３  レイアウト実行部
１７４  レイアウトデータ出力部
２７１  テンプレート送信部
２７２  レイアウトデータ取得部
２７３  印刷処理部
２７４  印刷データ出力部
２７５  広告用画像取得先データベース
Ｃ  検索条件
ＣＬ  通信線
ＩＭＧ  画像情報
ＬＤ  広告印刷物レイアウトデータ
ＰＤ  広告印刷物印刷データ
Ｒ  検索結果
ＴＰ  広告印刷物作成用テンプレート
ＴＸ  営業所名データ
【図１】
2005216041.tif 000003
【図２】
2005216041.tif 000004
【図３】
2005216041.tif 000005
【図４】
2005216041.tif 000006
【図５】
2005216041.tif 000007
【図６】
2005216041.tif 000008
【図７】
2005216041.tif 000009
【図８】
2005216041.tif 000010
【図９】
2005216041.tif 000011
【図１０】
2005216041.tif 000012
【図１１】
2005216041.tif 000013